(57)【要約】【課題】上流設計工程おける進捗率であっても適切に算出することができる管理装置を提供する。【解決手段】複数のステータスの各ステータスと、複数のステータスの各ステータスに切り替わるまでの切替時実績工数と、設計工程が完了するまでの合計実績工数とを対応付けた所要工数実績情報１５２と、設計工程識別子と、現在のステータスとを対応付けて記憶する実績登録部１２０と、現在のステータスに基づいて、所要工数実績情報１５２を検索し、現在のステータスに対応する切替時所要工数と合計所要工数とを抽出し、抽出した切替時所要工数と合計所要工数とに基づいて、設計工程の進捗率を算出する進捗率算出部１３０とを備える。【選択図】図１
2015222546.tif 000002
【特許請求の範囲】
【請求項１】
複数のステータスからなる設計工程を含む第１プロジェクトを管理する管理装置において、
既に完了した第２プロジェクトに含まれる前記設計工程における前記複数のステータスの各ステータスについて、前記複数のステータスの各ステータスと、前記複数のステータスの各ステータスに切り替わるまでの切替時実績工数と、前記設計工程が完了するまでの合計実績工数とを対応付けた工数実績情報を記憶する工数実績情報記憶部と、
前記第１プロジェクトに含まれる前記設計工程を識別する設計工程識別子と、前記第１プロジェクトに含まれる前記設計工程の現在のステータスとを対応付けて記憶する実績登録部と、
前記実績登録部により登録された前記現在のステータスに基づいて、前記工数実績情報記憶部に記憶されている前記工数実績情報を検索し、前記現在のステータスに対応する切替時実績工数と合計実績工数とを抽出し、抽出した切替時実績工数と合計実績工数とに基づいて、前記第１プロジェクトに含まれる前記設計工程の進捗率を算出する進捗率算出部と
を備えることを特徴とする管理装置。
【請求項２】
前記進捗率算出部は、
前記合計実績工数を前記切替時実績工数で割った値を前記第１プロジェクトに含まれる前記設計工程の進捗率とすることを特徴とする請求項１に記載の管理装置。
【請求項３】
前記第１プロジェクトは、さらに、複数の製造手順を有する製造工程を含み、
前記実績登録部は、
前記第１プロジェクトに含まれる前記製造工程を識別する製造工程識別子と、前記第１プロジェクトに含まれる前記製造工程において作業が完了した製造手順と、前記作業が完了した製造手順の作業が完了するまでにかかった手順完了実績時間とを対応付けて記憶し、
前記進捗率算出部は、
前記製造工程が完了するまでの標準時間と、前記手順完了実績時間とに基づいて、前記第１プロジェクトに含まれる前記製造工程の進捗率を算出することを特徴とする請求項１または２に記載の管理装置。
【請求項４】
前記第１プロジェクトは、さらに、複数の試験項目を有する試験工程を含み、
前記実績登録部は、
前記第１プロジェクトに含まれる前記試験工程を識別する試験工程識別子と、前記第１プロジェクトに含まれる前記試験工程において試験が完了した試験項目完了数とを対応付けて記憶し、
前記進捗率算出部は、
前記試験項目完了数と、前記複数の試験項目の試験項目数とに基づいて、前記第１プロジェクトに含まれる前記試験工程の進捗率を算出することを特徴とする請求項１〜３のいずれかに記載の管理装置。
【請求項５】
複数のステータスからなる設計工程を含む第１プロジェクトを管理する管理装置であって、既に完了した第２プロジェクトに含まれる前記設計工程における前記複数のステータスの各ステータスについて、前記複数のステータスの各ステータスと、前記複数のステータスの各ステータスに切り替わるまでの切替時実績工数と、前記設計工程が完了するまでの合計実績工数とを対応付けた工数実績情報を記憶する工数実績情報記憶部を備える管理装置の管理方法において、
実績登録部が、前記第１プロジェクトに含まれる前記設計工程を識別する設計工程識別子と、前記第１プロジェクトに含まれる前記設計工程の現在のステータスとを対応付けて記憶し、
進捗率算出部が、前記実績登録部により登録された前記現在のステータスに基づいて、前記工数実績情報記憶部に記憶されている前記工数実績情報を検索し、前記現在のステータスに対応する切替時実績工数と合計実績工数とを抽出し、抽出した切替時実績工数と合計実績工数とに基づいて、前記第１プロジェクトに含まれる前記設計工程の進捗率を算出することを特徴とする管理方法。
【請求項６】
複数のステータスからなる設計工程を含む第１プロジェクトを管理する管理装置であって、既に完了した第２プロジェクトに含まれる前記設計工程における前記複数のステータスの各ステータスについて、前記複数のステータスの各ステータスと、前記複数のステータスの各ステータスに切り替わるまでの切替時実績工数と、前記設計工程が完了するまでの合計実績工数とを対応付けた工数実績情報を記憶する工数実績情報記憶部を備える管理装置のプログラムにおいて、
前記第１プロジェクトに含まれる前記設計工程を識別する設計工程識別子と、前記第１プロジェクトに含まれる前記設計工程の現在のステータスとを対応付けて記憶する実績登録処理と、
進捗率算出部が、前記実績登録処理により登録された前記現在のステータスに基づいて、前記工数実績情報記憶部に記憶されている前記工数実績情報を検索し、前記現在のステータスに対応する切替時実績工数と合計実績工数とを抽出し、抽出した切替時実績工数と合計実績工数とに基づいて、前記第１プロジェクトに含まれる前記設計工程の進捗率を算出する進捗率算出処理とをコンピュータに実行させるプログラム。
【発明の詳細な説明】
【技術分野】
【０００１】
本発明は、管理装置、管理方法及びプログラムに関する。特に、プロジェクトをＥＶＭ（Ｅａｒｎｅｄ  Ｖａｌｕｅ  Ｍａｎａｇｅｍｅｎｔ）により管理する管理装置、管理方法及びプログラムに関する。
【背景技術】
【０００２】
客先要求に応じた個別受注品等のように、複数のサブシステムから構成される大型製品の開発工事のプロジェクトは、工期が長く、膨大なコストがかかる。よって、プロジェクトの工程進捗とコスト進捗との両面から状況を把握できるＥＶＭによる管理が有効である。ＥＶＭとは、作業の到達度を金銭等の価値に換算したＥＶ（Ｅａｒｎｅｄ  Ｖａｌｕｅ：出来高）という概念でプロジェクトを把握する管理手法である。
【０００３】
プロジェクトに対してＥＶＭを適用するためには、プロジェクトの各時点における進捗率を基に、ＥＶを適切に評価する必要がある。しかし、従来技術では、管理者が作業担当者の報告内容を進捗率に置き換えて装置に登録しており、客観的な進捗率が定義されていない。特に、製品の概念設計のような上流設計工程での作業は、工程の細分化が難しく、工程途中での進捗率、ＥＶの適正な評価が困難である。
【０００４】
従来技術として、計画をあらかじめ登録し、作業担当者からの報告に基づき、管理者が実績、進捗率を入力することで各ＥＶＭ指標を算出するＥＶＭ管理装置がある（例えば、特許文献１参照）。
また、ＷＰ（ワークパッケージ）単位に対して細分化されたフェーズを定義し、ＷＰ単位およびフェーズ毎に計画工数と実績工数、進捗率もしくは出来高を装置へ登録し、各ＥＶＭ指標を算出する装置がある（例えば、特許文献２参照）。
また、各ＷＰを細分化したマイルストンと、寄与率（重み付け）を定義して、マイルストン毎の進捗率の積上げにより、各ＷＰの進捗率を算出する装置がある（例えば、特許文献３参照）。
【０００５】
また、工程進捗を管理する技術として、作業ごとに定形化したステータスで進捗状況を表現する技術がある（例えば、特許文献４参照）。
また、各ＷＰ内の作業工程の作業量割合を管理者が事前に設定し、進捗を都度登録することで進捗率を算出する技術がある（例えば、特許文献５参照）。
また、各作業に対する実作業時間を標準作業時間から差し引いて、勝ち負けによる進捗度を算出する技術がある（例えば、特許文献６参照）。
【先行技術文献】
【特許文献】
【０００６】
【特許文献１】特開２００７−０１８１６３号公報
【特許文献２】特開２００９−１５７４８９号公報
【特許文献３】特開２００４−２７２６２４号公報
【特許文献４】特開２００５−０７８５３９号公報
【特許文献５】特開平０５−１００８４１号公報
【特許文献６】特開平０７−０５６９９６号公報
【発明の概要】
【発明が解決しようとする課題】
【０００７】
しかしながら、特許文献１〜３の技術は、いずれも管理者による進捗率の登録を前提としており、客観的に進捗率を算出することができないという課題があった。
また、特許文献４〜６の技術では、工程の細分化が難しい上流設計工程おける進捗率を適切に評価することができないという課題があった。
【０００８】
本発明は、例えば、上記のような課題を解決するためになされたものであり、精度の高いＥＶＭ管理を実現するために、人手で定義することなく客観的な方法で進捗率を算出するとともに、上流設計工程おける進捗率であっても適切に算出することができる管理装置を提供することを目的とする。
【課題を解決するための手段】
【０００９】
本発明に係る管理装置は、複数のステータスからなる設計工程を含む第１プロジェクトを管理する管理装置において、既に完了した第２プロジェクトに含まれる前記設計工程における前記複数のステータスの各ステータスについて、前記複数のステータスの各ステータスと、前記複数のステータスの各ステータスに切り替わるまでの切替時実績工数と、前記設計工程が完了するまでの合計実績工数とを対応付けた工数実績情報を記憶する工数実績情報記憶部と、前記第１プロジェクトに含まれる前記設計工程を識別する設計工程識別子と、前記第１プロジェクトに含まれる前記設計工程の現在のステータスとを対応付けて記憶する実績登録部と、前記実績登録部により登録された前記現在のステータスに基づいて、前記工数実績情報記憶部に記憶されている前記工数実績情報を検索し、前記現在のステータスに対応する切替時実績工数と合計実績工数とを抽出し、抽出した切替時実績工数と合計実績工数とに基づいて、前記第１プロジェクトに含まれる前記設計工程の進捗率を算出する進捗率算出部とを備えることを特徴とする。
【発明の効果】
【００１０】
本発明に係る管理装置によれば、複数のステータスからなる設計工程を含む第１プロジェクトを管理する管理装置において、既に完了した第２プロジェクトに含まれる前記設計工程における前記複数のステータスの各ステータスについて、前記複数のステータスの各ステータスと、前記複数のステータスの各ステータスに切り替わるまでの切替時実績工数と、前記設計工程が完了するまでの合計実績工数とを対応付けた工数実績情報を記憶する工数実績情報記憶部と、前記第１プロジェクトに含まれる前記設計工程を識別する設計工程識別子と、前記第１プロジェクトに含まれる前記設計工程の現在のステータスとを対応付けて記憶する実績登録部と、前記実績登録部により登録された前記現在のステータスに基づいて、前記工数実績情報記憶部に記憶されている前記工数実績情報を検索し、前記現在のステータスに対応する切替時実績工数と合計実績工数とを抽出し、抽出した切替時実績工数と合計実績工数とに基づいて、前記第１プロジェクトに含まれる前記設計工程の進捗率を算出する進捗率算出部とを備えるので、上流設計工程おける進捗率であっても適切に算出することができる。
【図面の簡単な説明】
【００１１】
【図１】実施の形態１に係る管理装置のブロック構成の一例を示すブロック構成図である。
【図２】実施の形態１に係る管理装置のハードウェア構成の一例を示す図である。
【図３】実施の形態１に係る管理装置の管理方法における計画登録処理（工程）の動作の一例を示すフローチャートである。
【図４】実施の形態１に係るプロジェクト管理表における計画登録部分の構成の一例を示す図である。
【図５】実施の形態１に係る管理装置の管理方法における実績登録処理（工程）の動作の一例を示すフローチャートである。
【図６】実施の形態１に係るプロジェクト管理表において実績工数が登録された状態を示す図である。
【図７】実施の形態１に係る所要工数実績情報の構成の一例を示す図である。
【図８】実施の形態１に係る管理装置の管理方法における進捗率算出処理（工程）の動作の一例を示すフローチャートである。
【図９】実施の形態１に係るプロジェクト計画表において各ＷＰの進捗率を設定した状態を示す図である。
【図１０】実施の形態１における抽出所要工数情報の構成の一例を示す図である。
【図１１】実施の形態１に係る管理装置の管理方法におけるＥＶＭ管理指標算出処理（工程）の動作の一例を示すフローチャートである。
【図１２】実施の形態１に係るＥＶＭ管理指標算出処理（工程）を説明するための図である。
【図１３】実施の形態１にかかる管理装置においてＥＶＭ管理指標のグラフ化の一例を示す模式図である。
【発明を実施するための形態】
【００１２】
実施の形態１．
図１は、本実施の形態に係る管理装置１００のブロック構成の一例を示すブロック構成図である。
管理装置１００は、プロジェクトにおけるＥＶＭ管理を実行するＥＶＭ管理装置である。
図１に示すように、管理装置１００は、計画登録部１１０、実績登録部１２０、進捗率算出部１３０、ＥＶＭ算出部１４０、記憶機器１５０を備える。記憶機器１５０には、プロジェクト管理表１５１、所要工数実績情報１５２、抽出所要工数情報１５３、ＥＶＭ管理情報１５４が記憶される。
【００１３】
計画登録部１１０は、管理者から、ＥＶＭにより管理する管理対象であるプロジェクトにおける基本情報を受け付け、記憶機器１５０に記憶されるプロジェクト管理表１５１に登録する。プロジェクト管理表１５１は、現在実行中のプロジェクト（第１プロジェクトの一例）を管理する表である。
【００１４】
実績登録部１２０は、作業者から対象ＷＰの実績工数を受け付け、プロジェクト管理表１５１の実績工数に登録する。
進捗率算出部１３０は、プロジェクト管理表１５１の各ＷＰ（ワークパッケージ）について、進捗率を算出する。
ＥＶＭ算出部１４０は、プロジェクト管理表１５１の各ＷＰ（ワークパッケージ）について、ＥＶＭ管理指標を算出する。
各構成部の機能構成及び動作については、後で説明する。
【００１５】
図２は、本実施の形態に係る管理装置１００のハードウェア構成の一例を示す図である。図２を用いて、管理装置１００のハードウェア構成の一例について説明する。
【００１６】
管理装置１００はコンピュータを備え、管理装置１００の各要素をプログラムで実現することができる。
【００１７】
管理装置１００のハードウェア構成としては、バスに、演算装置９０１、外部記憶装置９０２、主記憶装置９０３、通信装置９０４、入出力装置９０５が接続されている。
【００１８】
演算装置９０１は、プログラムを実行するＣＰＵ（Ｃｅｎｔｒａｌ・Ｐｒｏｃｅｓｓｉｎｇ・Ｕｎｉｔ）である。
外部記憶装置９０２は、例えばＲＯＭ（Ｒｅａｄ・Ｏｎｌｙ・Ｍｅｍｏｒｙ）やフラッシュメモリ、ハードディスク装置である。
主記憶装置９０３は、ＲＡＭ（Ｒａｎｄｏｍ・Ａｃｃｅｓｓ・Ｍｅｍｏｒｙ）である。
【００１９】
通信装置９０４は、例えば通信ボード等であり、ＬＡＮ（Ｌｏｃａｌ・Ａｒｅａ・Ｎｅｔｗｏｒｋ）等に接続されている。通信装置９０４は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワークの一例である。
【００２０】
入出力装置９０５は、例えばマウス、キーボード、ディスプレイ装置等である。マウスの代わりに、タッチパネル、タッチパッド、トラックボール、ペンタブレット、あるいは、その他のポインティングデバイスが用いられても構わない。ディスプレイ装置は、ＬＣＤ（Ｌｉｑｕｉｄ・Ｃｒｙｓｔａｌ・Ｄｉｓｐｌａｙ）、ＣＲＴ（Ｃａｔｈｏｄｅ・Ｒａｙ・Ｔｕｂｅ）、あるいは、その他の表示装置でも構わない。
【００２１】
プログラムは、通常は外部記憶装置９０２に記憶されており、主記憶装置９０３にロードされた状態で、順次演算装置９０１に読み込まれ、実行される。
プログラムは、ブロック構成図に示す「〜部」として説明している機能を実現するプログラムである。
プログラムプロダクト（コンピュータプログラムプロダクト）は、ブロック構成図に示す「〜部」の機能を実現するプログラムが記録された記憶媒体、記憶装置などから構成される。プログラムプロダクトは、見た目形式の物に限られなく、コンピュータ読み取り可能なプログラムをロードしているものである。
【００２２】
更に、外部記憶装置９０２にはオペレーティングシステム（ＯＳ）も記憶されており、ＯＳの少なくとも一部が主記憶装置９０３にロードされ、演算装置９０１はＯＳを実行しながら、ブロック構成図に示す「〜部」の機能を実現するプログラムを実行する。
また、アプリケーションプログラムも外部記憶装置９０２に記憶されており、主記憶装置９０３にロードされた状態で、順次演算装置９０１により実行される。
また、「共通情報」、「〜テーブル」等の情報も外部記憶装置９０２に記憶されている。
【００２３】
また、本実施の形態の説明において、「〜の判断」、「〜の判定」、「〜の抽出」、「〜の検知」、「〜の設定」、「〜の登録」、「〜の選択」、「〜の生成」、「〜の入力」、「〜の出力」等として説明している処理の結果を示す情報やデータや信号値や変数値が主記憶装置９０３に記憶されている。
また、管理装置１００が受信したデータが主記憶装置９０３に記憶される。
また、暗号鍵・復号鍵や乱数値やパラメータが、主記憶装置９０３に記憶されても構わない。
【００２４】
なお、図２の構成は、あくまでも管理装置１００のハードウェア構成の一例を示すものであり、管理装置１００のハードウェア構成は図２に記載の構成に限らず、他の構成であっても構わない。
【００２５】
図３は、本実施の形態に係る管理装置１００の管理方法における計画登録処理（工程）の動作の一例を示すフローチャートである。
計画登録部１１０は、管理者から、ＥＶＭにより管理する管理対象であるプロジェクトにおける基本情報を受け付け、記憶機器１５０に記憶されるプロジェクト管理表１５１に登録する。
【００２６】
Ｓ１０１において、計画登録部１１０は、管理者から工事基本情報を受け付け、プロジェクト管理表１５１に登録する。工事基本情報とは、プロジェクトの工事名及び工事タイプ（例えば、研究試作、リピート工事、修理）等を含む工事種類、プロジェクト全体の開始時期及び完了時期等である。
Ｓ１０２において、計画登録部１１０は、管理者からＷＰ定義、フェーズ登録を受け付け、プロジェクト管理表１５１に登録する。
Ｓ１０３において、計画登録部１１０は、管理者からＷＰ毎の開始時期、完了時期、及び月別計画工数、合計計画工数を受け付け、プロジェクト管理表１５１に登録する。
【００２７】
図４は、本実施の形態に係るプロジェクト管理表１５１における計画登録部分の構成の一例を示す図である。
図４に示すように、計画登録部１１０は、管理者から入力される情報にしたがって、工事名、工事タイプ、ＷＰ名、フェーズ、開始時期、完了時期、合計計画工数、月別計画工数を登録する。
このように、管理者は、コスト管理単位である構成（工程）とするＷＰを定義し、「設計」「製造」「試験」といった工程のフェーズを設定し、管理装置１００へ登録する。そして、ＷＰの開始時期、完了時期、合計計画工数、及び月別計画工数を管理装置１００へ登録する。
プロジェクト管理表１５１により管理されるプロジェクトは、複数のステータスからなる設計工程（設計フェーズ）、複数の製造手順を有する製造工程（製造フェーズ）、複数の試験項目を有する試験工程（試験フェーズ）を含む。
工事名、工事タイプ、ＷＰ名は、ＷＰ（設計工程、製造工程、試験工程）を識別する工程識別子（設計工程識別子、製造工程識別子、試験工程識別子）の一例である。
【００２８】
図５は、本実施の形態に係る管理装置１００の管理方法における実績登録処理（工程）の動作の一例を示すフローチャートである。図６は、本実施の形態に係るプロジェクト管理表１５１において実績工数が登録された状態を示す図である。
実績登録処理は、作業者が作業実施後に、各ＷＰに対する実績工数を登録する処理である。実績登録処理は、図６に示すプロジェクト計画表１５１のＷＰ毎（１レコード毎）に実行される。処理対象のＷＰを対象ＷＰとする。
【００２９】
Ｓ２０１において、実績登録部１２０は、作業者から対象ＷＰの実績工数を受け付け、プロジェクト管理表１５１の実績工数に登録する。図６に示すように、対象ＷＰに対し、実績工数が設定される。
【００３０】
Ｓ２０２において、実績登録部１２０は、対象ＷＰのフェーズを処理装置により判定する。
フェーズが「設計」の場合、Ｓ２０３に進む。
フェーズが「製造」の場合、Ｓ２０４に進む。
フェーズが「試験」の場合、Ｓ２０５に進む。
【００３１】
Ｓ２０３において、実績登録部１２０は、対象ＷＰのフェーズが「設計」に該当する場合、作業者からＷＰのステータスを受け付け、例えば、プロジェクト管理表１５１のステータスに登録する。
ステータスとは、設計作業に対する進捗状況を表す標準ステータスであり、予め設計作業を複数のステータスに分割して登録しておくものである。ステータスには、例えば、「未着手」、「作業着手」、「図面作成」、「課内審査」、「全体レビュー」、「完了」があるものとする。
図６に示すように、実績登録部１２０は、作業者から入力された情報に基づいて、現在のステータスをプロジェクト管理表１５１に登録する。実績登録部１２０は、ステータスに変更がない場合はそのままとする。
なお、本実施の形態では、ステータスをプロジェクト管理表１５１に登録するとしたが、プロジェクト管理表１５１に登録しなくてもよい。プロジェクト管理表１５１とは別に、設計フェーズのＷＰ毎のステータスを記憶機器１５０に記憶するとしてもよい。
【００３２】
Ｓ２０４において、実績登録部１２０は、対象ＷＰのフェーズが「製造」に該当する場合、作業者から入力される情報に基づいて、対象ＷＰに対して該当する製造図面を定義し、製造図面に関する複数の製造手順と、各製造手順に対するＴＳ（標準時間）とを設定する。
実績登録部１２０は、対象ＷＰに対し、作業が完了した製造手順と、その製造手順が完了するまでにかかった手順完了実績時間とを登録する。製造手順の作業が完了した場合に、完了した製造手順の完了を登録する。完了した製造手順と、その製造手順の手順完了実績時間と、全製造手順の合計ＴＳとを完了手順情報と呼ぶ場合がある。
以上のように、実績登録部１２０は、プロジェクトに含まれる製造工程を識別する製造工程識別子と、プロジェクトに含まれる製造工程において作業が完了した製造手順と、作業が完了した製造手順の作業が完了するまでにかかった手順完了実績時間とを対応付けて記憶する。
【００３３】
図示はないが、実績登録部１２０は、製造フェーズの対象ＷＰに対応付けて、完了した製造手順と、その製造手順の手順完了実績時間と、全製造手順の合計ＴＳとをプロジェクト計画表１５１に設定してもよいし、プロジェクト管理表１５１とは別に、製造フェーズのＷＰ毎の完了手順情報を記憶機器１５０に記憶するとしてもよい。
【００３４】
Ｓ２０４において、実績登録部１２０は、対象ＷＰのフェーズが「試験」に該当する場合、作業者から入力される情報に基づいて、対象ＷＰに対して、試験項目数と試験項目合格数（試験項目完了数）とを登録する。実績登録部１２０は、試験要領書で定義した試験項目数を登録し、ある試験項目が合格となった場合に試験項目合格数をカウントアップ（＋１）する。
【００３５】
図示はないが、実績登録部１２０は、対象ＷＰに対応付けて、試験項目数と試験項目合格数とをプロジェクト計画表１５１に登録してもよいし、プロジェクト管理表１５１とは別に、試験フェーズのＷＰ毎の試験項目数と試験項目合格数とを記憶機器１５０に記憶するとしてもよい。
【００３６】
Ｓ２０６において、実績登録部１２０は、プロジェクト計画表１５１の全ＷＰについて、実績を登録したか否かについて判定する。全ＷＰについて、実績登録が完了した場合、実績登録処理を終了する。実績登録が完了していないＷＰがある場合、Ｓ２０１に戻り、プロジェクト計画表１５１の次のＷＰについて処理を繰り返す。
【００３７】
図７は、本実施の形態に係る所要工数実績情報１５２の構成の一例を示す図である。
本実施の形態では、フェーズが「設計」に該当するＷＰについては、予め所要工数実績情報１５２が記憶機器１５０に蓄積されているものとする。所要工数実績情報１５２とは、進捗率算出のために予め蓄積された設計フェーズに該当するＷＰの情報であり、計画登録時に設定した工事タイプとセットで実績工数のデータを蓄積する。
【００３８】
図７に示すように、所要工数実績情報１５２には、フェーズが「設計」に該当するＷＰについて、工事名、工事タイプ、ＷＰ名、フェーズ、ステータス、切替時所要工数、合計所要工数、工数実績比率が設定される。
【００３９】
工事名、工事タイプ、ＷＰ名、フェーズ、ステータスについては、図４，６で説明したものと同様である。
【００４０】
切替時所要工数には、ＷＰにおいて、設定されているステータスに切り替わる時までにかかった実績工数が設定されている。
例えば、図７の１レコード目「工事名：ＢＢＢＢ、工事タイプ：研究試作、ＷＰ名：ＷＰ１、フェーズ：設計」では、このＷＰのステータスが「図面作成」から「課内審査」に切り替わるまでにかかった実績工数が切替時所要工数に設定されている。
また、この１レコード目のＷＰが全て完了するまでにかかった実績工数が合計所要工数に設定されている。
【００４１】
所要工数実績情報１５２は、既に完了した第２プロジェクト（例えば、工事名：ＢＢＢＢ）に含まれる設計フェーズにおける複数のステータスの各ステータスについて、複数のステータスの各ステータスと、複数のステータスの各ステータスに切り替わるまでの切替時所要工数（切替時実績工数）と、設計フェースが完了するまでの合計所要工数（合計実績工数）とを対応付けた工数実績情報の一例である。所要工数実績情報１５２は、工数実績情報記憶部により記憶される。
【００４２】
工数実績比率には、切替時所要工数に対する切替時所要工数の割合が設定されている。図７の１レコード目では、１８０（切替時所要工数）／３００（合計時所要工数）＝０．６（６０％）が、工数実績比率として設定されている。
【００４３】
１つのＷＰ（フェーズ：設計）が全て完了すると、そのＷＰに関する情報が所要工数実績情報１５２に登録されるものとする。あるいは、１つの工事（例えば、「ＢＢＢＢ」工事）が全て完了すると、その工事の全てのＷＰ（フェーズ：設計）について所要工数実績情報１５２に登録されるものとしてもよい。あるいは、１つの工事（例えば、「ＢＢＢＢ」工事）の設計フェーズが完了すると、その工事の設計フェーズの全てのＷＰについて所要工数実績情報１５２に登録されるものとしてもよい。
【００４４】
図８は、本実施の形態に係る管理装置１００の管理方法における進捗率算出処理（工程）の動作の一例を示すフローチャートである。図９は、本実施の形態に係るプロジェクト計画表１５１において、各ＷＰの進捗率を設定した状態を示す図である。
ここでは、例えば、図９におけるＴ時点、すなわち、２０１３年７月末を現在時点として、進捗率を算出するものとする。進捗率算出処理は、プロジェクト管理表１５１の各ＷＰ（対象ＷＰ）について進捗率を算出する処理である。
【００４５】
Ｓ３０１において、進捗率算出部１３０は、対象ＷＰのフェーズを処理装置により判定する。
フェーズが「設計」の場合、Ｓ３０２に進む。
フェーズが「製造」の場合、Ｓ３０３に進む。
フェーズが「試験」の場合、Ｓ３０４に進む。
【００４６】
＜フェーズが「設計」の場合の進捗率（設計）の算出＞
Ｓ３０２において、進捗率算出部３０２は、対象ＷＰの工事タイプとステータスとに基づき、所要工数実績情報１５２を検索する。
ここでは、進捗率を計算する対象ＷＰを、図９に示すプロジェクト計画表１５１の３レコード目「工事名：ＡＡＡＡ、工事タイプ：研究試作、ＷＰ名：ＷＰ３、フェーズ：設計、ステータス：課内審査」のＷＰとする。図９に示すように、具体的には、進捗率算出部３０２は、対象ＷＰから、工事タイプ「研究試作」、ステータス「課内審査」を取得する。
上述したように、設計フェーズのような上流設計工程では、工程途中での進捗率の適正な算出が難しい。本実施の形態では、以下のように、進捗率算出部１３０が自動的に進捗率（設計）を算出する。
【００４７】
Ｓ３０５において、進捗率算出部３０２は、所要工数実績情報１５２の各レコードについて、工事タイプ及びステータスが対象ＷＰと等しいか否かを判定する。
工事タイプ及びステータスが対象ＷＰと等しい場合、Ｓ３０６に進む。
工事タイプ及びステータスが対象ＷＰと等しくない場合、Ｓ３０７に進む。
【００４８】
Ｓ３０６において、進捗率算出部３０２は、工事タイプ及びステータスが対象ＷＰと等しいと判定した所要工数実績情報１５２のレコードを取得し、抽出所要工数情報１５３として記憶機器１５０に登録（蓄積）する。
図１０は、本実施の形態における抽出所要工数情報１５３の構成の一例を示す図である。
図１０に示すように、抽出所要工数情報１５３として、工事タイプ「研究試作」、ステータス「課内審査」のＷＰの情報が蓄積される。なお、工事タイプ「研究試作」、ステータス「課内審査」のＷＰの工数実績比率のみを抽出所要工数情報１５３として蓄積してもよい。
【００４９】
Ｓ３０７において、進捗率算出部３０２は、所要工数実績情報１５２の全てのレコードを判定したか否かを判断し、全ての所要工数実績情報１５２のレコードを判定した場合（Ｓ３０７でＹＥＳ）、Ｓ３０８に進む。未判定の所要工数実績情報１５２のレコードがある場合（Ｓ３０７でＮＯ）、Ｓ３０２に戻り、所要工数実績情報１５２における次のレコードについて工事タイプ及びステータスを判定する処理を繰り返す。
【００５０】
Ｓ３０８において、進捗率算出部３０２は、抽出所要工数情報１５３の全てのレコードの工数実績比率の平均値を算出し、算出した平均値を対象ＷＰの進捗率としてプロジェクト計画表１５１に設定する。
具体的には、図１０に示す抽出所要工数情報１５３の全てのレコードの工数実績比率の平均値を算出する。
進捗率（設計）の算出のための式は、工数実績比率の平均値（進捗率（設計））＝（６０．０％＋５０．０％＋８０．０％＋７２．５％）／４＝６５．６％となる。
【００５１】
本実施の形態では、上記のように、設計フェーズのＷＰの進捗率を、作業者の主観的な判断から設定するのではなく、過去の実績から自動的に算出する。例えば、課内審査に切り替わった時点における進捗率を、過去の工事における合計所要工数に対する切替時所要工数の割合の平均値により示している。
【００５２】
なお、本実施の形態では、図５に示すように所要工数実績情報１５２には、予め工数実績比率が計算され、設定されているものとした。しかし、Ｓ３０６において、進捗率算出部１３０が、取得した所要工数実績情報１５２のレコードから工数実績比率を算出し、抽出所要工数情報１５３に登録するものとしてもよい。つまり、報告されたステータスに対して、計画登録時に設定した工事タイプ及びステータスと、過去工事での工事タイプ及びステータスが一致し、フェーズが「設計」に該当するＷＰの合計所要工数と、ステータス切り替えタイミングまでの切替時所要工数とから、下記式により工事タイプ及びステータスごとの工数実績比率を算出するとしてもよい。工数実績比率＝（前のステータスから切り替わるまでの所要工数（実績））／（ＷＰの合計所要工数（実績））。
【００５３】
以上のように、進捗率算出部１３０は、実績登録部１２０により登録された現在のステータスに基づいて、工数実績情報記憶部に記憶されている所要工数実績情報１５２を検索し、現在のステータスに対応する切替時所要工数と合計所要工数とを抽出し、抽出した切替時所要工数と合計所要工数とに基づいて、プロジェクトに含まれる設計工程の進捗率を算出する。
【００５４】
＜フェーズが「製造」の場合の進捗率（製造）の算出＞
Ｓ３０３において、進捗率算出部３０２は、実績登録部１２０によりＳ２０４において設定された、完了した製造手順と、その製造手順の手順完了実績時間と、全製造手順の合計ＴＳとを参照する。製造手順の手順完了実績時間と、全製造手順の合計ＴＳとをＴＳ情報と呼ぶ。このように、進捗率算出部３０２は、製造図面に定義した製造手順とＴＳ情報とにより進捗を把握することが可能である。
【００５５】
Ｓ３０９において、進捗率算出部３０２は、完了した製造手順とＴＳ情報とに基づいて、進捗率（製造）を処理装置により算出する。進捗率（製造）の算出のための式は、進捗率（製造）＝（完了した製造手順の合計ＴＳ）／（全製造手順の合計ＴＳ）となる。
以上のように、進捗率算出部１３０は、製造工程が完了するまでの標準時間（合計ＴＳ）と、各製造手順の合計ＴＳとに基づいて、プロジェクトに含まれる製造工程の進捗率を算出する。完了した製造手順の合計ＴＳとは、完了した製造手順の手順完了実績時間のことである。手順完了実績時間とは、作業が完了した製造手順における標準時間のことである。
【００５６】
＜フェーズが「試験」の場合の進捗率（試験）の算出＞
Ｓ３０４において、進捗率算出部３０２は、実績登録部１２０によりＳ２０５において登録した試験項目数と試験項目合格数とを参照する。
Ｓ３１０において、進捗率算出部３０２は、試験項目数と試験項目合格数とに基づいて、進捗率（試験）を処理装置により算出する。試験フェーズでは、試験要領書で定義した試験項目数に対する合格率を、進捗率と定義する。よって、進捗率（試験）の算出のための式は、進捗率（試験）＝（合格した試験項目数（試験項目合格数））／（全試験項目数）となる。
以上のように、進捗率算出部１３０は、試験項目合格数と、複数の試験項目の試験項目数とに基づいて、プロジェクトに含まれる試験工程の進捗率を算出する。
【００５７】
Ｓ３１１において、進捗率算出部１３０は、プロジェクト計画表１５１の全ＷＰについて、進捗率の算出が完了したか否かについて判定する。全ＷＰについて、進捗率の算出が完了した場合、進捗率算出処理を終了する。進捗率の算出が完了していないＷＰがある場合、Ｓ３０１に戻り、プロジェクト計画表１５１の次のＷＰについて処理を繰り返す。
【００５８】
なお、本実施の形態では、プロジェクト計画表１５１の全ＷＰのそれぞれについて実績登録処理を実行した後に、プロジェクト計画表１５１の全ＷＰのそれぞれについて進捗率を計算するものとした。しかし、プロジェクト計画表１５１の全ＷＰのそれぞれについて実績登録処理と進捗率算出処理とを一度に実行しても構わない。
以上で、管理装置１００の進捗率算出処理についての説明を終わる。
【００５９】
図１１は、本実施の形態に係る管理装置１００の管理方法におけるＥＶＭ管理指標算出処理（工程）の動作の一例を示すフローチャートである。図１２は、本実施の形態に係るＥＶＭ管理指標算出処理（工程）を説明するための図である。
ここでは、図９と同様に、Ｔ時点、すなわち、２０１３年７月末におけるＥＶＭ管理指標を算出するものとする。ＥＶＭ管理指標算出処理は、各ＷＰ（対象ＷＰ）についてＥＶＭ管理指標を算出する処理である。
【００６０】
ＥＶＭ管理指標算出処理では、ＰＶ（Ｐｌａｎｅｄ  Ｖａｌｕｅ：計画上の出来高）、ＡＣ（Ａｃｔｕａｌ  Ｃｏｓｔ：実績所要工数）、ＥＶ（Ｅａｒｎｄ  Ｖａｌｕｅ：実際に完成している実績値）を各ＷＰのＥＶＭ管理指標として算出する。
ＰＶは、最初に計画を立てたときの現在（例えば、２０１３年７月現在）の出来高である。
ＡＣは、現時点までにかかった所要工数の実績値である。
ＥＶは、実際に完成している実績値であり、現時点での成果の実績値である。
【００６１】
Ｓ４０１において、ＥＶＭ算出部１４０は、プロジェクト計画表１５１に登録されたＷＰの開始時期・完了時期・計画工数・実績工数および算出された進捗率を用いて、ＥＶＭ管理指標を算出する。
【００６２】
ＥＶＭ管理指標のそれぞれの算出方法は、以下の通りである。
ＰＶ（図１２の（２））は、ＷＰの計画開始時期から現在までの月別計画工数の累計値である。計画開始時期以前の場合はＰＶ＝０となる。
図１２に示すように、月別計画工数の現在（Ｔ時点）までの累計値を計算する。図１２の１レコード目を例とすると、ＰＶ（（２））＝６０＋８０＋６０＝２００となる。
【００６３】
ＡＣ（図１２の（３））は、ＷＰの現在までの実績工数である。図１２の１レコード目を例とすると、ＡＣ（（３））＝２２０となる。
【００６４】
ＥＶ（図１２の（１）×（４））は、ＷＰの計画工数の合計値（合計計画工数（１））に、ＷＰの進捗率（４）をかけたものである。図１２の１レコード目を例とすると、ＥＶ＝２００（合計計画工数（１））×１００％（（４））＝２００となる。
【００６５】
以上のように、ＥＶＭ算出部１４０は、プロジェクト計画表１５１の全てのＷＰについて、ＥＶＭ管理指標を算出し、ＥＶＭ管理情報１５４として記憶機器１５０に記憶する。
【００６６】
図１３は、本実施の形態にかかる管理装置１００においてＥＶＭ管理指標のグラフ化の一例を示す模式図である。
図１３に示すように、管理装置１００では、算出したＥＶＭ管理情報１５４に基づいて、ＥＶＭ管理指標をグラフ化することにより、計画と比べた作業の遅れやコストの超過などを視覚的に把握することができる。
なお、図５のＳ２０４では、実績登録部１２０は、製造図面に関する複数の製造手順と、各製造手順に対するＴＳ（標準時間）とを設定するとしたが、複数の製造手順のすべてが完了するまで（製造フェーズが完了するまで）の合計の標準時間を設定してもよい。
【００６７】
以上のように、本実施の形態にかかる管理装置は、プロジェクトの計画と実績、および進捗率算出のために標準ステータス、完了した手順とＴＳ、試験項目数を登録することで、進捗率とＥＶＭ管理指標を自動算出する。管理装置の処理は、「計画登録」「工数、進捗実績登録」「進捗率算出」「ＥＶＭ管理指標算出」の４つの機能で構成する。
【００６８】
本実施の形態にかかる管理装置によれば、工事着手時にコスト管理単位とする構成・工程をＷＰ（ワークパッケージ）として定義したＷＢＳと、所要工数実績情報や補足情報（手順・ＴＳ・試験項目数等）を登録し、ＥＶＭ管理指標を自動算出することができる。また、工程（上流設計、組立・加工、試験）ごとに客観的な方法で進捗率を算出する方法を定義し、工事に対する工程ＥＶＭの各指標を自動算出する。これにより、工程の細分化が困難な場合でもより精度の高いＥＶＭ管理を実現可能となり、大型製品開発工事のプロジェクト管理に対しても適切なＥＶＭ管理を適用することができる。
【００６９】
上記実施の形態では、「計画登録部」、「実績登録部」、「進捗率算出部」、「ＥＶＭ算出部」がそれぞれ独立した機能ブロックとして管理装置を構成している。しかし、これらの構成でなくてもよい。これらの構成は任意である。
例えば、「実績登録部」、「進捗率算出部」をひとつの機能ブロックで実現してもよい。「計画登録部」、「実績登録部」、「進捗率算出部」、「ＥＶＭ算出部」を全て１つの機能ブロックで実現してもよい。
【００７０】
また、管理装置は、１つの装置でなく、複数の装置から構成された管理システムでもよい。例えば、記憶機器１５０は、ネットワークで接続されたデータベースサーバが備えるものとしてもよい。
これらの機能ブロックは、実施の形態に記載した機能を実現することができれば、任意であり、これらの機能ブロックを、他のどのような組み合わせで管理装置（管理システム）を構成しても構わない。
なお、以上の実施の形態は、本質的に好ましい例示であって、本発明、その適用物や用途の範囲を制限することを意図するものではなく、必要に応じて種々の変更が可能である。
【００７１】
以上、本発明の実施の形態について説明したが、この実施の形態に含まれる発明を部分的に組み合わせて実施しても構わない。あるいは、この実施の形態のうち、１つの部分を実施しても構わない。あるいは、この実施の形態のうち、２つ以上を部分的に組み合わせて実施しても構わない。なお、本発明は、これらの実施の形態に限定されるものではなく、必要に応じて種々の変更が可能である。
【符号の説明】
【００７２】
１００  管理装置、１１０  計画登録部、１２０  実績登録部、１３０  進捗率算出部、１４０  ＥＶＭ算出部、１５０  記憶機器、１５１  プロジェクト管理表、１５２  所要工数実績情報、１５３  抽出所要工数情報、１５４  ＥＶＭ管理情報、９０１  演算装置、９０２  外部記憶装置、９０３  主記憶装置、９０４  通信装置、９０５  入出力装置。
【図１】
2015222546.tif 000003
【図２】
2015222546.tif 000004
【図３】
2015222546.tif 000005
【図４】
2015222546.tif 000006
【図５】
2015222546.tif 000007
【図６】
2015222546.tif 000008
【図７】
2015222546.tif 000009
【図８】
2015222546.tif 000010
【図９】
2015222546.tif 000011
【図１０】
2015222546.tif 000012
【図１１】
2015222546.tif 000013
【図１２】
2015222546.tif 000014
【図１３】
2015222546.tif 000015